【事件の表示】
　特許第２５４３１７１号「電子スチルカメラ」の請求項１ないし６に係る特許に対する特許異議の申立てについて、次のとおり決定する。
【結論】
　訂正を認める。
　特許第２５４３１７１号の請求項４ないし６に係る特許を維持する。
【理由】
１．手続きの経緯
　本件における手続きの経緯は次のとおりである。
特許出願（国内優先）　　　　　　　　　　　　昭和６３年　４月　８日
特許権設定登録　　　　　　　　　　　　　　　平成　８年　７月２５日
特許異議の申立（申立人旭光学工業株式会社）　平成　９年　４月１５日
特許異議の申立（申立人伊藤孝美）　　　　　　平成　９年　４月１６日
特許異議の申立（申立人溝呂木寛）　　　　　　平成　９年　４月１６日
第１回取消理由通知　　　　　　　　　　　　　平成　９年　８月２８日
第１回訂正請求　　　　　　　　　　　　　　　平成　９年１１月１７日
第２回取消理由通知　　　　　　　　　　　　　平成１０年　４月２３日
第２回訂正請求　　　　　　　　　　　　　　　平成１０年　７月１４日
第１回訂正拒絶理由通知　　　　　　　　　　　平成１１年　４月　７日
第１回手続補正　　　　　　　　　　　　　　　平成１１年　６月１５日
第２回訂正拒絶理由通知　　　　　　　　　　　平成１１年１０月２１日
第２回手続補正　　　　　　　　　　　　　　　平成１１年１０月２１日
２．訂正の適否についての判断
　ア．訂正請求の趣旨
　訂正請求（手続補正）は、訂正前の請求項１〜３を削除し、訂正前の請求項４〜６を特許請求の範囲の減縮及び不明瞭な記載の釈明を目的として訂正し、それぞれ請求項番号を繰り上げ、請求項１〜３に訂正したものである。
　訂正明細書（手続補正）の請求項１〜３に係る発明は、その特許請求の範囲に記載された次の事項により特定されるとおりのものであるものと認める。
「１．被写界を撮像してそのスチル画像を記録媒体に記録する電子スチルカメラにおいて、該カメラは、被写界を撮像する撮像手段と、該撮像手段により撮像されたスチル画像信号を一旦蓄積し、異なる速度で読み出し可能な信号蓄積手段と、該信号蓄積手段から読み出されたスチル画像信号を少なくとも一つの記録媒体に供給する選択を記録速度の異なる複数の記録媒体の中から行うとともに、該複数の記録媒体の内の一つの記録媒体に、前記スチル画像信号を所定の数のブロックに分割し、２次元直交変換した後、正規化し、さらに符号化することによって圧縮する圧縮部を介したスチル画像信号が供給される選択を行う出力選択手段と、該出力選択手段からの前記スチル画像信号を記録する複数の記録媒体をそれぞれ備えた記録装置と、前記撮像手段、前記信号蓄積手段、前記出力選択手段および前記記録装置を制御する制御部とを有し、該制御部は、前記スチル画像信号の連続供給／単一供給、および前記スチル画像信号の情報量に対する前記記録媒体の容量に応じて前記出力選択手段を制御し、該カメラはさらに、前記撮像手段の各画素に対するフィルタの色を示すデータとして出力するとともに、該データを用いて前記スチル画像信号をサンプルホールドする信号として出力するフィルタ配列データ出力手段を有し、前記出力選択手段は、前記フィルタ配列データ出力手段から出力される前記データを、前記信号蓄積手段から読み出された前記データに対応するスチル画像信号とともに、前記選択された記録媒体へ出力することを特徴とする電子スチルカメラ。
２．請求項１に記載の電子スチルカメラにおいて、前記複数の記録媒体の内の一つは、該カメラ本体に内蔵した半導体記録手段としての第１の記録媒体であり、前記複数の記録媒体の他のものは、前記記録装置に光学的記録手段により前記スチル画像信号を記録する第２の記録媒体と、磁気記録手段により前記スチル画像信号を記録する第３の記録媒体とを含み、前記第１の記録媒体には、前記圧縮部を介して圧縮されたスチル画像信号が供給され、前記制御部の制御によって、前記スチル画像信号を連続供給する場合、または前記半導体記録手段の容量が前記スチル画像信号の情報量を満足する場合、前記出力選択手段で前記半導体記録手段が選択され、前記スチル画像信号を単一供給する場合、または前記半導体記録手段の容量を前記スチル画像信号の情報量が越える場合、前記出力選択手段で前記記録装置の光学的記録手段または磁気記録手段がそれぞれ選択され、前記スチル画像信号を前記選択された記録媒体に記録することを特徴とする電子スチルカメラ。
３．請求項２に記載の電子スチルカメラにおいて、該カメラは、前記第１の記録媒体を有し、前記第２の記録媒体および前記第３の記録媒体が含まれる前記記録装置を着脱可能にするとともに、前記記録装置の装着時の制御を前記制御部から行うことを特徴とする電子スチルカメラ。」
　イ．独立特許要件の判断
（１）訂正後の請求項１に係る発明について
　《引用刊行物》
　第２回取消理由通知で旧請求項４（訂正後の請求項１）に対して引用した刊行物１（特許異議申立人伊藤孝美が提出した米国特許第４，１８９，７４４号明細書）には、「多目的ディジタルコンピュータ３０と共に、磁気テープメモリ５１等の大容量記憶装置、ディスクメモリ５２等の高速アクセス記憶装置、ＲＡＭ５３等のランダムアクセス記憶装置を備えたデータベース５０が提供される。通常少なくともランダムアクセスメモリの一部は多目的ディジタルコンピュータ内に包含されるであろう。また、各記憶装置媒体の量は、所望の処理時間及びコストを考慮して、当業者が選択することができると思料される。
　制御回路３０に接続され、またＤ／Ａコンバータ６２を介してカラーモニタ２５にも接続されているフレーム蓄積手段６０が提供される。本実施例では、フレーム蓄積手段はディジタル型であり、例えば、ユタ州ソルトレークシティーのＥｖａｎｓ　ａｎｄ　Ｓｕｔｈｅｒｌａｎｄ社が製造販売している「フレームバッファ」として知られている型である。本質的に、フレームバッファ６０は、ビデオ情報のフレームを記憶するアドレス指定可能なメモリである。」（第３欄第５８行目〜第４欄第９行目）「カラーテレビカメラ６５は、現在の被写界（シーン）６６（例えば、手描きスケッチまたはカラー画像）を写すものであり、Ａ／Ｄ変換器６１を介してフレームバッファ６０に接続され、回路３０により制御される。この配列によってビデオ情報のフレームは、ビデオテープ装置５５またはカラーカメラ６５からフレームバッファ６０に読み込まれると理解される。」（第４欄第４８行目〜同欄第５５行目）「ビデオ情報の新しいフレームも同様に、ビデオテープ装置５５またはカラーカメラ６５のいずれかからフレームバッファ６０に読み込むことができる。」（第４欄第６７行目〜第５欄第２行目）と記載されている。
　同じく引用された刊行物３（特許異議申立人伊藤孝美が提出した特開昭５９−１８３５９２号公報）には、「色分離情報は再生機で色分離を行うディジタル電子スチルカメラに固有のものであり、主として色フィルタの色構成を表すデータである。第４図は色分離情報を発生する電子スチルカメラの一実施例を示しており、・・・・、２０は色分離情報としてカメラに用いられている色フィルタを表すコードを発生するコード発生器」（第３頁右上欄第３行目〜同欄第１２行目）と記載されている。
　同じく引用された刊行物４（特許異議申立人溝呂木寛が提出した特開昭６２−１６６９４号公報）には、「第２図を参照すると、本発明の特定の実施例では、電子スチルカメラなどで撮影された画像が映像用磁気ディスク、いわゆるビデオフロッピー１０にフィールド映像信号あるいはフレーム映像信号の形で記録され、磁気ディスク１０からこれを読み取って、たとえばカラー印画紙などの画像記録媒体１２にハードコピーとして再生される。
　たとえばカラー電子スチルカメラは、被写体像を結像する撮影レンズの後方にたとえば固体撮像素子が設けられ、撮像素子の撮像セルアレイの前方には色分解フィルタが配設されている。この色分解フィルタは、被写体らの入射光を画素の分解色に応じて色分解して対応する撮像セルに入射さる。このような色分解フィルタには様々な種類のものが用いられる。たとえば、原色系のものとしてＲ、Ｇ、Ｂに色分解するもの、また補色系のものとして、たとえばＣｙ、Ｍ、Ｙｅに色分解するものや、Ｗ、Ｙｅ、Ｇ、Ｃｙに色分解するものなど様々なものがある。」（第３頁右上欄第４行目〜同頁左下欄第２行目）「磁気ディスク１０にこのような色分解フィルタの種別がデータとして記録されたものを使用する場合は、そのようなデータを読み取ってそれに応じた色変換係数を制御部２８が記憶部８０から選択するように構成してもよい。」（第１１頁左上欄第１９行目〜同頁右上欄第４行目）と記載されている。
　《対比・判断》
　本件訂正後の請求項１に係る発明と上記刊行物１、３、４記載の発明とを対比すると、訂正後の請求項１記載の「撮像手段の各画素に対するフィルタの色を示すデータとして出力するとともに、該データを用いてスチル画像信号をサンプルホールドする信号として出力するフィルタ配列データ出力手段を有し、出力選択手段は、前記フィルタ配列データ出力手段から出力される前記データを、信号蓄積手段から読み出された前記データに対応するスチル画像とともに、前記選択された記録媒体へ出力する」構成が上記刊行物１、３、４に記載されておらず、示唆もない。
　したがって、訂正後の請求項１に係る発明は刊行物１、３、４記載のものから当業者が容易に発明をすることができたものとはいえない。
（２）訂正後の請求項２，３に係る発明について
　訂正後の請求項２，３は訂正後の請求項１の従属項であるから、同請求項２，３に係る発明は、上記（１）の理由により、当業者が容易に発明をすることができたものとはいえない。
　ウ．以上のとおりであるから、上記訂正請求は、特許法第１２０条の４第２項及び同条第３項で準用する第１２６条第２−４項の規定に適合するので、当該訂正を認める。
３．特許異議の申立てについての判断
　（１）申立人旭光学工業株式会社は、訂正前の請求項１及び２に係る発明について、これら発明は、甲第１号証（特開平１−１７７２８１号公報）と実質的に同一と認められるから、特許法第２９条の２の規定により特許を受けることができないものであるとの理由により、訂正前の請求項１及び２に係る特許を取り消すべきであると主張している。
　然るに、訂正請求により訂正前の請求項１及び２は削除されたので、理由はないものとなった。
　（２）申立人伊藤孝美は、訂正前の請求項１〜６に係る発明について、これら発明は、甲第１号証（特開昭６２−６２６７４号公報）、甲第２号証（米国特許４，１８９，７４４号公報）、甲第３号証（特開昭５９−１８３５９２号公報）、甲第４号証（特開昭５８−４２３８７号公報）から当業者が容易に発明をすることができたものであるから、特許法第２９条第２項の規定により、特許を受けることができないものであるとの理由により、訂正前の請求項１〜６に係る発明の特許を取り消すべきであると主張している。
　《甲各号証記載の発明》
・甲第１号証（特開昭６２−６２６７４号公報）には次のような記載がある。
　「第１図は、本発明にかかる電子カメラの一実施例の構成を示すブロック図である。
　本実施例の電子カメラは基本的に撮像部１およびディスク記録部２とからなっている。
　撮像部１において、３はレンズ、４はレンズ３からの光像を結像され電気信号に変換して画像信号とする撮像素子で、ＣＣＤ，ＭＯＳあるいは撮像管などその他周知の撮像手段からなっている。５は撮像素子からの画像信号を処理する信号処理回路である。
　８はＡ／Ｄコンバーター、７はＡ／Ｄコンバーターからのディジタル化された画像信号の１フレーム期間を記憶するフレームメモリである。」（第２頁左下欄第１５行目〜同頁右下欄第７行目）
　「つぎに、ディスク記録部２において、１９は記録信号処理回路で、フレームメモリ７上の画像信号をＤ／Ａコンバータでアナログ信号としたものを後述する記録ディスクに供給するための信号処理をする。
　２０は記録ディスクである。ディスク媒体としては、磁気シートが用いられるがその他の媒体、光記録媒体あるいは光磁気記録媒体を用いてもよい。」（第３頁右上欄第９行目〜第１７行目）
・甲第２号証（米国特許４，１８９，７４４号公報）には、前記２．イにおいて引用刊行物１として記載した事項が記載されている。
・甲第３号証（特開昭５９−１８３５９２号公報）には、前記２．イにおいて引用刊行物３として記載した事項が記載されている。
・甲第４号証（特開昭５８−４２３８７号公報）には、次のような記載がある。
　「記録すべき画像情報のビデオ信号をマトリックス回路により輝度信号と色差信号とし、ＡＤ変換器により該輝度信号及び色差信号を夫々ディジタルパルス変調してディジタル輝度信号及びディジタル色差信号とした後メモリ回路に記憶し、該メモリ回路より該ディジタル輝度信号及びディジタル色差信号を夫々記憶時よりも標本化周波数の低いディジタル信号として、かつ、順次に時系列的に読み出して得た時系列合成ディジタルビデオ信号を、記録すべき音声情報のオーディオ信号をディジタルパルス変調して得たディジタルオーディオ信号と共に円盤状記録媒体に記録するように構成したことを特徴とするディジタル信号記録方式」（特許請求の範囲）
　「静止画像が走査線数６２５本のカラーテレビジョンカメラ１０により撮像され、これより赤色信号（Ｒ）、緑色信号（Ｇ）及び青色信号（Ｂ）の三原色信号が取り出されてマトリクス回路１１に供給され、ここで輝度信号Ｙ、色差信号（Ｒ−Ｙ）及び（Ｂ−Ｙ）に変換される。・・・輝度信号Ｙは・・・メモリ１５に１フレーム分記憶される。・・・色差信号（Ｒ−Ｙ）及び（Ｂ−Ｙ）は・・・メモリ１５に各１フレーム分ずつ記憶される。」（第３頁右上欄第９行目〜同頁左下欄第７行目）
　《対比・判断》
　本件訂正後の請求項１に係る発明と上記甲第１号証〜甲第４号証記載の発明とを対比すると、訂正後の請求項１記載の「撮像手段の各画素に対するフィルタの色を示すデータとして出力するとともに、該データを用いてスチル画像信号をサンプルホールドする信号として出力するフィルタ配列データ出力手段を有し、出力選択手段は、前記フィルタ配列データ出力手段から出力される前記データを、信号蓄積手段から読み出された前記データに対応するスチル画像とともに、前記選択された記録媒体へ出力する」構成が上記甲第１〜４号証に記載されておらず、示唆もない。したがって、訂正後の請求項１に係る発明は甲第１〜４号証記載のものから当業者が容易に発明をすることができたものとはいえない。
　訂正後の請求項２，３について、それらは訂正後の請求項１の従属項であるから、同請求項２，３に係る発明は、上記請求項１と同様の理由により、当業者が容易に発明をすることができたものとはいえない。
　（３）申立人溝呂木寛は、訂正前の請求項１に係る発明は、甲第１号証（特開昭５４−１４０５１０号公報）と同一であるから、特許法第２９条第１項の規定により特許を受けることができない旨、及び、請求項１〜６に係る発明についてこれら発明は、甲第１号証（特開昭５４−１４０５１０号公報）、甲第２号証（特開昭５９−３４７７７号公報）、甲第３号証（特開昭６２−１６６９４号公報）から当業者が容易に発明をすることができたものであるから、特許法第２９条第２項の規定により、特許を受けることができないものであるとの理由により、訂正前の請求項１〜６に係る発明の特許を取り消すべきであると主張している。
　《甲各号証記載の発明》
・甲第１号証（特開昭５４−１４０５１０号公報）には次のような記載がある。
　「少なくとも光学像に感応して多数個の電子信号を発生し、且つその信号を時系列的画像情報信号として外部回路に送り出し得る光電変換器と、該光電変換器からの信号を記録し得る記憶装置と電気信号送出部とを固定的に内蔵したカメラ部と、前記記憶装置から再生される画像情報信号を受入れるべく、電気的に前記カメラに接続可能なように電気信号受入れ部を有し、且つ出力レートが容易に可変である半導体記憶素子を含む外部記憶装置の組合せから成る電子式像情報記憶システム。」（特許請求の範囲）
　「第４図はカメラ部の構成要素及び動作を更に具体的に示すもので、光学像は光学系４０即ちレンズ４１、シャッター４２等を通して光電変換器４３の光電面に結像される。この光電変換器は公知のＣＣＤに代表されるように例えば５００×５００ケ程度の多数の分割された絵素部を有し光学系に感応して、対応する絵素に電荷としての多数個の電気信号を発生する。この信号はＣＣＤ４３及びその駆動回路４４の機能によってシフトレジスターの如く動作し、順次電荷を隣の絵素部に転送し、最終的に更に前記シフトの方向と直交するシフトレジスタよって時系列的に一連の画像情報として外部回路へ送出させる。」（第３頁右上欄第１３行目〜同頁左下欄第１０行目）
　「６１はカメラからの電気信号を無線又は有線でうけるための受信部又はコネクターである。６１から外部記憶装置に入った信号は、ＭＯＳ、バイポーラ、ＣＣＤ磁気バブルの如き半導体メモリ６２に記憶される。これらの半導体メモリ６２に記憶された情報は１ＫＨｚ〜１０ＫＨｚ等極めて遅いレートから速いレートまで読み出し速度を外部クロック回路或いは制御回路６３によって殆んど任意に変えて読み出すことができる。」（第４頁左下欄第１５行目〜同頁右下欄第８行目）
　「６４として示してあるのはレート選択ダイアルであって例えば情報をテレビジョン受像機に表示したい場合にはダイアル６４をＴＶにセットすると制御回路がＴＶモードで動作してテレビジョン用のビデオ信号の形で情報を記憶装置６２から送出部６５を通して繰り返し読み出し、静止画像をテレビジョン６６の画面に表示する。或いは又同じ信号はＶＴＲ６７に送られ、ＶＴＲに記録される。ダイアル６４をプリントにセットすると、例えば１００ＫＨｚ程度のレートで信号が得られ、これは例えばレーザービームプリンターやインクジェットプリンター６８で記録する場合に好適信号として処理される。これらのプリンターには適当な電子回路が設けられて、それによって例えば一画面を５００×５００の絵素で構成するような比較的粗い画像に対してインターレース処理等によって見掛けの解像力を増すような画像処理をほどこしてからプリントアウトを行って紙への記録としての可視画像６９として可視化してもよい。ダイアル６４をＦＡＸにセットすると電話回線を通じてファクシミリ信号として送出可能なような信号を取出す事もできる。」（第４頁右下欄第９行目〜第５頁左上欄第１５行目）
・甲第２号証（特開昭５９−３４７７７号公報）には次のような記載がある。
　「画素メモリ１８の記録画像を読出す際には、画素メモリ１８、Ｄ／Ａ変換器２０に、比較的低速の基準クロック、タイミング信号や制御信号を供給するプロセスアンプ２２は、画素メモリ１８の出力信号を高品位テレビジョン方式に準拠した複合映像信号に変換し、記録回路２６へ供給する。この実施例では、画素メモリ１８に記録されたフレーム画像がさらに別の大容量メモリ、ここでは、磁気記録手段に再記録される。記録回路２６は複合映像信号を周波数変調や増幅して磁気ヘッド１８に供給する。磁気ヘッド２８はテープやディスク等の磁気記録媒体３０に映像信号に応じた磁気情報を生成させる。この記録はアナログ的でもディジタル的でもよい。画像メモリ１８からの読出し周波数は撮像素子１２のクロック周波数より低く設定できるので、Ｄ／Ａ変換器２０以降の回路部分は現行のＮＴＳＣ方式の周波数特性（２〜５ＭＨｚ）を満たせばよい。なお、大容量メモリとしては、容量／ｂｉｔ数比、消費電力、動作速度、コスト等から、磁気テープ、磁気ディスク、光−磁気ディスクＣＭＯＳメモリ、バブルメモリ、ＥＥＰＲＯＭ、ＭＯＮＯＳメモリ等の中から選ばれる。」（第３頁左上欄第５行目〜同頁右上欄第７行目）
・甲第３号証（特開昭６２−１６６９４号公報）には、前記２．イにおいて引用刊行物４として記載した事項が記載されている。
　《対比・判断》
　本件訂正後の請求項１に係る発明と上記甲第１号証〜甲第３号証記載の発明とを対比すると、訂正後の請求項１記載の「撮像手段の各画素に対するフィルタの色を示すデータとして出力するとともに、該データを用いてスチル画像信号をサンプルホールドする信号として出力するフィルタ配列データ出力手段を有し、出力選択手段は、前記フィルタ配列データ出力手段から出力される前記データを、信号蓄積手段から読み出された前記データに対応するスチル画像とともに、前記選択された記録媒体へ出力する」構成が上記甲第１〜３号証に記載されておらず、示唆もない。したがって、訂正後の請求項１に係る発明は甲第１〜３号証記載のものから当業者が容易に発明をすることができたものとはいえない。
　訂正後の請求項２，３について、それらは訂正後の請求項１の従属項であるから、同請求項２，３に係る発明は、上記請求項１と同様の理由により、当業者が容易に発明をすることができたものとはいえない。
４．むすび
　以上のとおり、本件において請求する訂正は適法であり、また同請求により訂正された特許請求の範囲の請求項１から３に係る発明の特許について、これを取り消すべき理由は見出せない。
　よって、結論のとおり決定する。
【異議決定日】
平成１１年１１月１５日　（１９９９．１１．１５）
【訂正の要旨】
（３）訂正の要旨
（ｉ）訂正事項ａ
　本件
特許明細書
を削除する
（ｉｉ）訂正事項ｂ
　本件
特許明細書
（ｉｉｉ）訂正事項ｃ
　本件
特許明細書
（ｉｖ）訂正事項ｄ
　本件
特許明細書
「４．請求項１に記載の電子スチルカメラにおいて、該カメラはさらに、
　前記撮像手段のフィルタ配列のデータを出力するフィルタ配列データ出力手段を有し、
　前記出力選択手段は、前記フィルタ配列データ出力手段から出力される前記フィルタ配列のデータを、前記信号蓄積手段から読み出された映像信号とともに、前記選択された記録媒体へ出力することを特徴とする電子スチルカメラ。」を、
「
１
被写界を撮像してそのスチル画像を記録媒体に記録する電子スチルカメラにおいて、該カメラは、
　被写界を撮像する撮像手段と、
　該撮像手段より撮像されたスチル画像信号を一旦蓄積し、異なる速度で読み出し可能な信号蓄積手段と、
　該信号蓄積手段から読み出されたスチル画像信号を少なくとも一つの記録媒体に供給する選択を記録速度の異なる複数の記録媒体の中から行うとともに、該複数の記録媒体の内の一つの記録媒体に、前記スチル画像信号を所定の数のブロックに分割し、２次元直交変換した後、正規化し、さらに符号化することによって圧縮する圧縮部を介したスチル画像信号が供給される選択を行なう出力選択手段と、
　該出力選択手段からの前記スチル画像信号を記録する複数の記録媒体をそれぞれ備えた記録装置と、
　前記撮像手段、前記信号蓄積手段、前記出力選択手段および前記記録装置を制御する制御部とを有し、
　該制御部は、前記スチル画像信号の連続供給／単一供給、および前記スチル画像信号の情報量に対する前記記録媒体の容量に応じて前記出力選択手段を制御し、
　該カメラはさらに、
　前記撮像手段の各画素に対するフィルタの色を示すデータ
として
該データを用いて前記スチル画像信号サンプルホールドする信号として出力
　前記出力選択手段は、前記フィルタ配列データ出力手段から出力される前記データを、前記信号蓄積手段から読み出された前記データに対応するスチル画像信号とともに、前記選択された記録媒体へ出力することを特徴とする電子スチルカメラ。」に訂正する。
（ｖ）訂正事項ｅ
　本件
特許明細書
　「５．請求項１に記載の電子スチルカメラにおいて、
　前記複数の記録媒体が、半導体記録手段により前記スチル画像信号を記録する第１の記録媒体と、光学的記録手段により前記スチル画像信号を記録する第２の記録媒体と、磁気記録手段により前記スチル画像信号を記録する第３の記録媒体とからなることを特徴とする電子スチルカメラ。」を、
「
２
　前記複数の記録媒体の内の一つは、該カメラ本体に内蔵した半導体記録手段としての第１の記録媒体であり、
　前記複数の記録媒体の他のものは、前記記録装置に光学的記録手段により前記スチル画像信号を記録する第２の記録媒体と、磁気記録手段により前記スチル画像信号を記録する第３の記録媒体とを含み、
　前記第１の記録媒体には、前記圧縮部を介して圧縮されたスチル画像信号が供給され、
　前記制御部の制御によって、前記スチル画像信号を連続供給する場合、または前記半導体記録手段の容量が前記スチル画像信号の情報量を満足する場合、前記出力選択手段で前記半導体記録手段が選択され、前記スチル画像信号を単一供給する場合、または前記半導体記録手段の
容量を前記スチル画像信号の情報量が
（ｖｉ）訂正事項ｆ
　本件
特許明細書
「６．請求項５に記載の電子スチルカメラにおいて、該カメラは、
　前記第１の記録媒体を有し、
　前記第２の記録媒体および第３の記録媒体を着脱可能としたことを特徴とする電子スチルカメラ。」を
「
３
２
　前記第１の記録媒体を有し、
　前記第２の記録媒体および前記第３の記録媒体が含まれる前記記録装置を着脱可能にするとともに、前記記録装置の装着時の制御を前記制御部から行うことを特徴とする電子スチルカメラ。」に訂正する。
（５４）【発明の名称】
電子スチルカメラ
（５７）【特許請求の範囲】
１
被写界を撮像してそのスチル画像を記録媒体に記録する電子スチルカメラにおいて、該カメラは、
　
被写界を撮像する撮像手段と、
　
該撮像手段により撮像されたスチル画像信号を一旦蓄積し、異なる速度で読み出し可能な信号蓄積手段と、
　
該信号蓄積手段から読み出されたスチル画像信号を少なくとも一つの記録媒体に供給する選択を記録速度の異なる複数の記録媒体の中から行なうとともに、該複数の記録媒体の内の一つの記録媒体に、前記スチル画像信号を所定の数のブロックに分割し、２次元直交変換した後、正規化し、さらに符号化することによって圧縮する圧縮部を介したスチル画像信号が供給される選択を行う出力選択手段と、
　
該出力選択手段からの前記スチル画像信号を記録する複数の記録媒体をそれぞれ備えた記録装置と、
　
前記撮像手段、前記信号蓄積手段、前記出力選択手段および前記記録装置を制御する制御部とを有し、
　
該制御部は、前記スチル画像信号の連続供給／単一供給、および前記スチル画像信号の情報量に対する前記記録媒体の容量に応じて前記出力選択手段を制御し、
　該カメラはさらに、
　前記撮像手段の
各画素に対するフィルタの色を示すデータとして
とともに、該データを用いて前記スチル画像信号をサンプルホールドする信号として出力する
　前記出力選択手段は、前記フィルタ配列データ出力手段から出力される前記データを、前記信号蓄積手段から読み出された
前記データに対応するスチル画像信号
２
　前記複数の記録媒体
の内の一つは
該カメラ本体に内蔵した
としての
であり、
　
前記複数の記録媒体の他のものは、前記記録装置に
とを含み、
　
前記第１の記録媒体には、前記圧縮部を介して圧縮されたスチル画像信号が供給され、
　
前記制御部の制御によって、前記スチル画像信号を連続供給する場合、または前記半導体記録手段の容量が前記スチル画像信号の情報量を満足する場合、前記出力選択手段で前記半導体記録手段が選択され、前記スチル画像信号を単一供給する場合、または前記半導体記録手段の容量を前記スチル画像信号の情報量が越える場合、前記出力選択手段で前記記録装置の光学的記録手段または磁気記録手段がそれぞれ選択され、前記スチル画像信号を前記選択された記録媒体に記録する
３
２
　前記第１の記録媒体を有し、
　前記第２の記録媒体および
前記
含まれる前記記録装置
にするとともに、前記記録装置の装置時の制御を前記制御部から行う
【発明の詳細な説明】
技術分野
　本発明は電子スチルカメラに関し、特にスチル画像を記録する記録媒体を選択可能な電子スチルカメラに関する。
背景技術
　被写界を固体撮像デバイスにより撮像して、そのスチル画像信号を磁気ディスク等の記録媒体に記録する電子スチルカメラが知られている。このような電子スチルカメラの記録媒体としては、例えば半導体記憶装置が用いられている。
　半導体記憶装置は高速で書き込みができるため、撮影された画像を記録する場合に、短時間で行うことができる。したがって、高速で連続して撮影する場合にも撮影した画像を記録することができる。しかし、記憶容量が十分に大きくなく、高価であるため、多数の画像を記録する場合には容量不足となる問題があった。また、静電気による影響を受けるため、これにより記録に支障をきたすことがある。さらに、カメラに内蔵されるＩＣメモリの場合には、記録内容を保持するためにバックアップ用電源を必要とするから、カメラから分離して保管することができないという問題があった。
　これに対して他の記録媒体、例えば光記録や磁気記録等により画像を記録する記録媒体を使用すれば、上記の容量不足等の欠点が解消される。しかし記録媒体への記録速度が半導体記憶装置に比べて遅いため、例えば高速で連写を行うカメラによってこれらの記録媒体に記録することはできないという問題があった。
目　的
　本発明はこのような従来技術の欠点を解消し、各種の速度で書き込みができ、しかも記録容量を所望の大きさとすることができるように、記録媒体を用いることのできる電子スチルカメラを提供することを目的とする。
発明の開示
　本発明によれば、被写界を撮像してそのスチル画像を記録媒体に記録する電子スチルカメラは、被写界を撮像する撮像手段と、撮像手段により撮像された映像信号を一旦蓄積し、異なる速度で読み出し可能な信号蓄積手段と、信号蓄積手段から読み出された映像信号を、記録速度の異なる複数の記録媒体に出力する出力選択手段とを有し、出力選択手段は、複数の記録媒体の少なくとも１つを選択して信号蓄積手段から読み出された映像信号を選択された記録媒体へ出力するものである。
実施例の説明
　次に添付図面を参照して本発明による電子スチルカメラの実施例を詳細に説明する。
　第１図には本発明による電子スチルカメラの一実施例が示されている。
　同図に示される実施例においては、電子スチルカメラ１０により撮影されたスチル画像を光カード３６に記録する光記録装置３０と、磁気ディスク５８に記録する磁気記録装置５０とが、コネクタ６０により電子スチルカメラ１０に着脱自在に接続されるように構成されている。同図において、コネクタ６０から左側の要素部分がデジタル電子スチルカメラとして単一の筐体に搭載される。また、コネクタ６０から右側の要素部分は磁気記録装置５０および光記録装置３０としてそれぞれ単一の筐体に搭載される。
　電子スチルカメラ１０はイメージセンサ１２を有する。イメージセンサ１２は、例えばＣＣＤもしくはＭＯＳ等の固体撮像デバイスが有利に適用される。イメージセンサ１２は、制御回路２０から制御線１１０を通して送られる制御信号により、図示しない同期回路から供給される同期信号に同期して映像信号をその出力１０２に読み出す。イメージセンサ１２の出力１０２は信号処理部１４に入力される。
　信号処理部１４は入力１０２として入力される、イメージセンサ１２のフィルタ配列による映像信号を、サンプルホールドして色分離し、色成分信号Ｒ，Ｇ，Ｂとする色成分信号作成機能および色成分信号Ｒ，Ｇ，Ｂを輝度信号Ｙおよび色差信号Ｒ−Ｙ，Ｂ−Ｙとするマトリックス機能を有する。信号処理部１４はまた、例えば白バランスの調整および階調補正等の必要な映像信号処理をこれに施す機能をも有する。信号処理部１４からの出力１０４は、ＡＤ変換器１６に入力される。
　ＡＤ変換器１６は、その入力１０４のアナログ形式の映像信号をデジタル信号に変換してその出力１０６に出力する信号変換回路である。ＡＤ変換器１６からの出力１０６はバッファメモリ１８に入力される。バッファメモリ１８はＡＤ変換器１６からの入力１０６を一時記憶し、所望の速度で読み出し可能なバッファメモリである。バッファメモリ１８は、後述する半導体のメモリ４０、磁気ディスク５８、光カード３６へのそれぞれの記録速度に応じて、記憶された映像信号を読み出す。
　バッファメモリ１８からの出力１０８はスイッチ回路２４を介して信号線１４０、１５０または１１８のいずれかに選択的に出力される。スイッチ回路２４は制御部２０から制御線１２２を通して送られる制御信号によって、バッファメモリ１８からの出力１０８を信号線１４０、１５０または１１８のいずれかに選択的に接続す機能を有する。これにより、バッファメモリ１８からの出力１０８が、圧縮部４２を経て電子スチルカメラに内蔵されたメモリ４０に供給されるか、またはコネクタ６０を介して電子スチルカメラ１０に接続される磁気記録装置５０のＤＡ変換器５２または光記録装置３０の変調器３２に供給される。
　圧縮部４２はメモリ４０に記憶される画像データを少なくするため、直交変換符号化により画像データの圧縮を行う。すなわち画像データを所定の数のブロックに分割し、２次元直交変換した後、正規化し、さらにハフマン符号化することによって画像データを圧縮する。
　メモリ４０はＩＣメモリ等の半導体メモリであり、高速連写時のように高速で書き込み記録する場合、または撮影枚数が少なく、記憶容量が小さくてよい場合に、撮影されたスチル画像を記録する記録媒体として用いられる。
　制御部２０は操作表示部２２から信号線１２８を通して送られる指示信号に応動して本装置全体の動作を制御する制御機能部であり、その制御信号は制御線１１０を介してイメージセンサ１２に、制御線１１２を介して信号処理部１４に、制御線１１４を介してＡＤ変換器１６に、制御線１１６を介してバッファメモリ１８に、制御線１２０を介してメモリ４０に、制御線１２２を介してスイッチ回路２４に、制御線１２８を介して操作表示部２２に、それぞれ接続されている。制御部２０はまた、これらの制御線によって装置各部の状態を監視している。
　制御部２０はまた、制御線１２４、１２６、１３０および１３２からそれぞれコネクタ６０を介して、光記録装置３０の変調器３２および光記録部３４、磁気記録装置５０の変調器５４および磁気記録部５６に制御信号を出力する。
　操作表示部２２は、シャッタレリーズボタンや、露光設定、白バランス調整等の様々な手動操作ボタンを有し、本カメラに操作者の指示を入力し、これを信号線１２８を通して制御部２０に与える機能を有するとともに、制御部２０から本装置の状態を示す信号を信号線１２８から受けてこれを操作者に表示する表示機能を有する。本装置においては特に、操作者が選択した記憶手段、すなわち半導体のメモリ４０、光カード３６または磁気ディスク５８のいずれかの指示が入力され、制御部２０へ送られる。
　電子スチルカメラ１０には、光カード３６に画像信号を光記録する光記録装置３０がコネクタ６０を介して着脱可能に接続される。光記録装置３０は、変調器３２を有する。変調器３２には、電子スチルカメラ１０のバッファメモリ１８から出力されたスチル画像信号が、信号線１４０、コネクタ６０を介して入力される。変調器３２は、電子スチルカメラ１０の制御部２０から制御線１２４、コネクタ６０を介して送られる制御信号によって、入力された画像信号を光記録するため変調し、出力１４２を光記録部３４に出力する。
　光記録部３４は、例えば光カード３６の光記録領域に画像データを光学的に記録するための記録部であり、ソリッドステートスキャナ等により構成される。
　光カード３６は、光の照射によって反射率の変化する光記録領域をその表面に有する画像記録媒体である。光カード３６は、例えば特開昭６３−２１１１２４号に記載されているようなものとすればよく、第２図に示すように、光カード３６の回転のための軸受開口に相当する回転軸受部７０がカード中心からずれた位置に配置されている。この回転軸受部７０の周囲には輪帯状記録領域７２が設けられ、輪帯状記録領域７２の一方の外周部には半輪帯状記録領域７４が設けられている。輪帯状記録領域７２および半輪帯状記録領域７４はデータがスパイラル状に連続して記録される領域であり、感光帯層や光反射層等で形成される記録層と、この記録層の上に形成された透明な保護層とからなっている。光カード３６にはさらに、目視可能な記録領域７６が設けられている。
　第３図には、光記録部３４の構成の一例が示されている。長方形の光カード３６が回転軸受部７０をモータ８０の回転軸に固定され、モータ８０により回転軸受部７０を回転中心として回転される。例えば第４図および第５図に示すように、モータ８０の回転軸８２に固設されたターンテーブル８４にカード３６を固定する。ターンテーブル８４にカード３６と同形の凹部８６を設け、ターンテーブル８４にカード３６を取り付けた重心がモータ８０の回転軸８２上にくるようにされている。このようなターンテーブル８４を用いれば、カード３６の回転中心がどの位置にあっても、スムーズに回転させることができる。
　光カード３６の輪帯状記録領域７２および半輪帯状記録領域７４に対向するように図の下方に配置された光学ヘッド部８８が、光カード３６の中心軸を含む放射線上を直線移動し、光カード３６の回転と同期してスパイラル状に連続して画像情報の書き込みを行う。この光学ヘッド部８８によって光カード３６からの読み出しもできることはいうまでもない。
　このようにスパイラル状の記録方式を用いることによって、モータ８０の回転と光ヘッドの直線移動で連続情報として書き込むから、比較的高速で書き込み可能である。
　このような光記録装置３０によって電子スチルカメラにより撮影されたスチル画像を光カード３６の光記録領域に光記録する。
　すなわち、変調器３２によって変調された信号が光学ヘッド８８の半導体レーザ９０に印加されることにより、画像信号に応じた光が半導体レーザ９０から発生され、この光を偏向ビーム分割器９２等の偏向手段によって偏向走査し、光カード３６の光記録領域に照射し、光記録を行うものである。
　電子スチルカメラ１０にはさらに、磁気ディスク５８に画像信号を磁気記録する磁気記録装置５０がコネクタ６０を介して着脱可能に接続される。磁気記録装置５０は、ＤＡ変換器５２および変調器５４を有する。ＤＡ変換器５２には、電子スチルカメラ１０のバッファメモリ１８から出力されたスチル画像信号が、信号線１４０、コネクタ６０を介して入力され、磁気記録のため、アナログ信号に変換される。
　変調器５４は、ＤＡ変換器５２から入力１５２を通して入力される画像信号を磁気記録するためＦＭ変調し、出力１５４を磁気記録部５６に出力する。
　磁気記録部５６は、磁気ディスク５８の所定のトラックに画像データを記録する。
　動作を説明する。
　撮影された画像を記録する記録媒体としてメモリ４０とともに光カード３６および磁気ディスク５８を用いる場合、操作者はまず光記録装置３０および磁気記録装置５０を、コネクタ６０により電子スチルカメラ１０に接続する。
　操作表示部２２を操作して被写体の撮影操作を行うと、イメージセンサ１２から映像信号が信号処理部１４に入力される。信号処理部１４において色分離等の信号処理が行われ、その出力１０４がＡＤ変換器１６に入力される。ＡＤ変換器１６に入力された信号はデジタル信号に変換され、その出力１０６がバッファメモリ１８に出力される。バッファメモリ１８に送られた信号はここで一旦蓄積され、制御部２０からの制御信号によって出力１０８に出力される。
　高速連写による画像を記録する場合、または撮影し記録する画像がメモリ４０の容量で十分な場合には、操作者は操作表示部２２からメモリ４０を選択する旨の指示を入力する。制御部２０は操作表示部２２からこの信号を受けて制御線１２２を通してスイッチ回路２４に制御信号を出力し、スイッチ回路２４はバッファメモリ１８の出力１０８を圧縮部４２へ入力するように接続される。
　バッファメモリ１８に記憶された信号は制御部２０からの制御信号により読み出され、スイッチ回路２４を通して圧縮部４２に入力される。圧縮部４２に入力された画像信号は直交変換符号化により圧縮され、メモリ４０へ送られる。これにより、撮影されたスチル画像の信号がメモリ４０に記憶される。
　一方、高速でない撮影の場合、または撮影され記録される画像の量が多く、メモリ４０の容量が十分でない場合に、操作者が例えば記憶容量の大きい光カード３６を記録媒体として選択する旨の指示を操作表示部２２から入力する。制御部２０は操作表示部２２からこの信号を受けて制御線１２２を通してスイッチ回路２４に制御信号を出力し、スイッチ回路２４はバッファメモリ１８の出力１０８をコネクタ６０を介して光記録装置３０へ入力するように接続される。
　バッファメモリ１８に記憶された信号は制御部２０からの制御信号により読み出され、スイッチ回路２４、コネクタ６０を通して光記録装置３０の変調器３２に入力される。変調器３２に入力された信号は光記録のために変調され、光記録部３４へ出力される。光記録部３４において、第３図に示すように、入力された信号により光カード３６の光記録領域に光記録が行われる。
　また、操作者が磁気ディスク５８を記録媒体として選択する旨の指示を操作表示部２２から入力した場合には、制御部２０は操作表示部２２からこの信号を受けて制御線１２２を通してスイッチ回路２４に制御信号を出力し、スイッチ回路２４はバッファメモリ１８の出力１０８をコネクタ６０を介して磁気記録装置５０へ入力するように接続される。
　これにより、バッファメモリ１８に記憶された信号は制御部２０からの制御信号により読み出され、スイッチ回路２４、コネクタ６０を通してＤＡ変換器５２に入力される。ＤＡ変換器５２に入力された信号はアナログ信号に変換され、変調器５４においてＦＭ変調され、磁気記録部５６へ出力される。磁気記録部５６において、入力された信号により磁気ディスク５８の所定のトラックに磁気記録が行われる。
　本実施例によれば、操作者が半導体のメモリ４０、光カード３６または磁気ディスク５８のいずれかを記録媒体として選択することができる。したがって、撮影する画像の枚数が多い場合には記録容量の多い光カード３６または磁気ディスク５８を記録媒体として選択すれば、撮影した多数の画像を記録することができる。一方、撮影する画像が少ない場合には、メモリ４０の容量で十分であるから、メモリ４０を選択してもよいし、光カード３６または磁気ディスク５８を選択してもよい。
　高速で連写を行う場合には、メモリ４０を選択することにより高速で書き込むことができる。
　以上のように本実施例によれば、例えば半導体メモリ４０と光カード３６の双方を撮影画像の記録媒体として選択することができる。
　したがって、記録する画像の容量が多い場合には光カード３６を選択することにより、半導体メモリ４０のみの場合のように容量不足で記録不能となることがない。また、光カード３６を記録媒体として使用する場合には、記録容量が大きいため、画像データを記録前に圧縮する必要がない。例えば高画質テレビジョン用の画像信号を記録する場合にも、十分な枚数を記録することができる。また、半導体メモリ４０に比較して記録装置が簡易な構成となるので、簡易型カメラにも有利に適用される。さらに、光記録によって記録を行う場合には、記録媒体は光カード３６に限られず、例えばロール状のフィルムを使用することができるから、記録容量をさらに大きくすることができる。光記録媒体を用いる場合には、半導体メモリ４０のように静電気の影響により故障が発生することがなく、バックアップ用の電源も不要である。また、安価であるため記録媒体の使い捨ても可能である。
　一方、半導体メモリ４０を選択した場合には、光カード３６のみの場合のように書き込み速度の不足によって記録不能となることがないから、高速の連写による高速の記録が可能である。また、半導体メモリ４０を使用する場合には、消去が容易であるから、繰り返しの使用が可能である。
　本実施例によれば、光記録装置３０をカメラ１０に着脱可能に接続しているから、光カード３６または磁気ディスク５８への記録を行わない場合、すなわちメモリ４０のみに記録する場合には、光記録装置３０および磁気記録装置５０をカメラ１０から離脱させれば、カメラ１０を軽くすることができる。
　なお、上記の実施例においては、操作者が記録媒体を選択する指示を操作表示部２２から入力するようにしているが、バッファメモリ１８へ蓄積される信号の速度やデータの容量等を制御部２０が検出し、これに応じてスイッチ２４へ制御信号を出力し、記録媒体を選択するようにしてもよい。
　第６図には本発明による電子スチルカメラの他の実施例が示されている。
　同図に示されるものは、第１図のカメラにおいて設けられた信号処理部１４を省略して、イメージセンサ１２の出力１０２をそのままＡＤ変換器１６に入力するようにしたものである。したがって、信号処理部１４を省略しているから、イメージセンサ１２のフィルタ配列に応じた出力１０２、すなわち色分離されていない信号がＡＤ変換器１６に入力され、バッファメモリ１８を通してスイッチ２８へ送られる。
　この装置においては、フィルタ配列データ発生部２６が設けられ、イメージセンサ１２のフィルタ配列を示すデータを発生する。フィルタ配列データ発生部２６からの出力１３４はスイッチ２８へ送られる。スイッチ２８は、制御部２０から制御線１３６を通して送られる制御信号によって切り換えられ、バッファメモリ１８からの画像データまたはフィルタ配列データ発生部２６からのフィルタ配列データを交互にスイッチ２４へ出力する。
　スイッチ２４は第１図の装置と同様に、記録媒体の選択のために切り換えられる。
　また、この装置においては、磁気記録装置５０のＤＡ変換器５２の出力１５６に信号処理部５３が接続されている。信号処理部５３は、フィルタ配列データ発生部２６から送られるフィルタ配列データを用いて、ＤＡ変換器５２から送られる画像データをサンプルホールドして色分離し、色成分信号Ｒ，Ｇ，Ｂ，とする色成分信号作成機能および色成分信号Ｒ，Ｇ，Ｂを輝度信号Ｙおよび色差信号Ｒ−Ｙ，Ｂ−Ｙとするマトリックス機能を有する。信号処理部５３はまた、例えば白バランスの調整および階調補正等の必要な映像信号処理をこれに施す。信号処理部５３からの出力１５２は、変調器５４に入力される。
　光記録装置３０にも、変調器３２の前に信号処理部３１が設けられ、信号処理部５３と同様に、フィルタ配列データ発生部２６から送られるフィルタ配列データを用いて、コネクタ６０を通して送られる画像データをサンプルホールドして色分離し、色成分信号Ｒ，Ｇ，Ｂ，とする色成分信号作成機能を有する。信号処理部３１はまた、例えば白バランスの調整および階調補正等の必要な映像信号処理をこれに施す。信号処理部３１からの出力は、変調器３２により変調される。
　同様にスイッチ２４と圧縮部４２の間にも信号処理部４４が設けられている。
　この実施例によれば、イメージセンサ１２のフィルタ配列に応じた画像データがそのまま、バッファメモリ１８に蓄積され、スイッチ２４を介してメモリ４０、磁気ディスク５８または光カード３６に向けて出力される。一方、フィルタ配列データ発生部２６から発生されたフィルタ配列データがスイッチ２４を介して同様に送られるから、画像データは各記録媒体に記録される前に、フィルタ配列データを用いてＲＧＢ信号または輝度信号Ｙおよび色差信号Ｒ−Ｙ，Ｂ−Ｙに変換され、ＲＧＢ信号またはＹ，Ｒ−Ｙ，Ｂ−Ｙ信号の形で各記録媒体に記録される。
　第７図には本発明による電子スチルカメラのさらに他の実施例が示されている。
　同図に示されるものは、第６図の装置において設けられた信号処理部５３、３１および４４を省略したものである。この装置においては、イメージセンサ１２のフィルタ配列に応じた画像データがそのまま、メモリ４０、磁気ディスク５８または光カード３６に記録されるとともに、フィルタ配列データ発生部２６から発生されたフィルタ配列データがこれらの記録媒体に記録される。したがって、フィルタ配外データが画像データとともに記録媒体に記録されるから、記録媒体に記録された画像を再生装置によって再生する場合に、フィルタ配列データを用いてＲＧＢ信号またはＹおよびＲ−Ｙ，Ｂ−Ｙ信号を作成することができる。
　第８図には本発明による電子スチルカメラの他の実施例が示されている。
　同図に示されるものは、ＡＤ変換器１６の出力１０６が記録媒体たる半導体のメモリ４０の入力に接続されている。メモリ４０にはＡＤ変換器１６から出力される画像信号がすべて入力され、一旦記憶される。メモリ４０からの出力１４０は、コネクタ６０を介して電子スチルカメラ１０に接続される光記録装置３０の変調器３２または磁気記録装置５０のＤＡ変換器５２に接続される。
　この実施例においては、磁気記録装置５０または光記録装置３０がカメラ１０に接続された場合においても、撮影された画像はすべてＡＤ変換器１６からメモリ４０に入力され、メモリ４０に一旦記憶される。その後、磁気ディスク５８または光カード３６に記録すべき画像信号は制御部２０から制御線１２０を通して送られる制御信号によってメモリ４０から読み出され、コネクタ６０を介してＤＡ変換器５２または変調器３２に入力され、前記と同様に磁気ディスク５８または光カード３６に記録される。
　この実施例によれば、第１図の実施例と同様に、半導体のメモリ４０、磁気ディスクまたは光カード３６のいずれかを選択してスチル画像を記録することができる。したがって、記録容量や記録速度に応じて記録媒体を選択することができるから、撮影条件に応じて記録することができる。また、磁気ディスク５８または光カード３６への記録を行わない場合には、光記録装置３０を離脱させ、カメラ１０を軽くすることができる。
　第９図には本発明による電子スチルカメラの他の実施例が示されている。
　同図に示されるものは、変調器３２および光記録部３４からなる光記録装置３０が電子スチルカメラ１０に収納され、メモリ４０がコネクタ６０を介してカメラ１０に着脱可能に接続される。したがって、光カード３６はカメラ１０の光記録部に装着され、撮影されたスチル画像が記録される。また、撮影された画像信号をメモリ４０に記録する場合にはメモリ４０がカメラ１０に接続され、撮影された画像信号がコネクタ６０を介し、メモリ４０に入力される。
　この実施例の装置においては、撮影された画像を記録する記録媒体として光カード３６とともにメモリ４０を用いる場合、操作者はメモリ４０をコネクタ６０により電子スチルカメラ１０に接続する。
　操作者が操作表示部２２を操作して被写体の撮影操作を行うと、イメージセンサ１２から出力された映像信号が信号処理部１４、ＡＤ変換器１６を介してフレームメモリ１８に入力される。操作者が記録媒体として光カード３６およびメモリ４０のいずれを使用するかの指示が操作表示部２２から入力され、例えば低速で多数の画像の撮影を行う場合には光カード３６が選択される。これにより制御部２０は制御線１２２を通してスイッチ回路２４に制御信号を出力し、スイッチ回路２４は同図に示す状態と反対の位置に接続され、フレームメモリ１８から出力される画像信号がスイッチ回路２４、信号線１４０を通して変調器３２に送られる。変調器３２から信号線１４２を通して変調された信号が光記録部３４に送られ、光記録部３４から発生されるレーザ光によって光カード３６に光記録が行われる。
　一方、高速の撮影または撮影枚数の少ない場合にはメモリ４０を選択する旨の指示が操作表示部２２から入力され、スイッチ回路２４が図示の位置に接続される。これによりフレームメモリ１８から出力される画像信号はスイッチ回路２４、コネクタ６０、信号線１１８を介してメモリ４０に入力され、記憶される。
　この実施例の場合にも、半導体メモリ４０と光カード３６のいずれかを撮影画像の記録媒体として選択することができる。したがって、撮影の速度、記録する画像の量に応じて、適切な記録媒体を選択することができる。
　また、半導体メモリ４０を用いない場合には、メモリ４０をカメラ１０から離脱させ、カメラ１０を軽くすることができる。なお、この実施例の装置において、図示しないが、必要に応じてコネクタ６０を介して磁気記録装置５０を接続してもよい。または、カメラ１０内に磁気記録装置５０を配置してもよい。
　第１０図には本発明による電子スチルカメラの他の実施例が示されている。
　同図に示されるものは、メモリ４０、磁気記録部および光記録部３０がいずれも、カメラ１０に収納されているものである。したがって、第１図のカメラ１０とは、磁気記録装置５０および光記録装置３０がコネクタ６０を介さずに接続されている点において異なる。その他の構成は第１図のカメラ１０と同一であるから、説明を省略する。
　この実施例のカメラ１０においても、スイッチ回路２４の切り換えによってフレームメモリ１８からの出力をメモリ４０、磁気記録装置５０または光記録装置３０のいずれかに送ることができるから、記録媒体としてメモリ４０、磁気記録装置５０または光記録装置３０を選択することができる。したがって撮影速度、撮影枚数等の条件に応じて適切な記録を行うことができる。
効　果
　本発明によれば、記録媒体として半導体記憶手段、光学的記録手段および磁気記録手段のいずれかを選択することができるから、撮影速度、撮影する画像の量等に応じて適切な記録を行うことができる。
【図面の簡単な説明】
　第１図は、本発明による電子スチルカメラの一実施例を示すブロック図、
　第２図は、第１図の装置により光記録される光カードの一例を示す図、
　第３図は、第１図の装置の光記録部の一例を示す図、
　第４図は、第３図の光記録部の回転部を示す平面図、
　第５図は、第３図の光記録部の回転部を示す側断面図、
　第６図ないし第１０図は、本発明による電子スチルカメラの他の実施例を示すブロック図である。
　　
主要部分の符合の説明
　１０．．．電子スチルカメラ
　１２．．．イメージセンサ
　１４．．．信号処理部
　１８．．．バッファメモリ
　２４．．．スイッチ
　３０．．．光記録装置
　３４．．．光記録部
　３６．．．光カード
　４０．．．メモリ
　４２．．．圧縮部
　５０．．．磁気記録装置
　５６．．．磁気記録部
　５８．．．磁気ディスク
　６０．．．コネクタ